(57)【要約】      （修正有）【課題】排水とろ過及び衛生の効果が得られ、また、快速に取り外して洗浄できる水頭装置を提供する。【解決手段】本体１０と上蓋素子２０及び底蓋３０を備え、本体１０は内部空間１１があり、複数の内部空間１１を貫通する中空部１２が設けられ、上蓋素子２０は分離可能に本体１０の上部に設置され、上蓋２１と複数の連接部材２２からなり、複数の連接部材２２が上蓋２１底部から所定の長さを伸び、複数の連接部材２２の底部が互いに連接され、連接部材２２に少なくとも一つの上層弾性シート２２１ａと少なくとも一つの下層弾性シート２２１ｂが設けられ、それらの弾性シートが上蓋の外部へ向かう凸部２２２を有し、底蓋３０が分離可能に本体１０の底部に設置され、底蓋３０と本体１０との間に所定の空間が形成され、底蓋３０は少なくとも一つの中空部１２が設けられる。【選択図】図１
0003144941.tif 000002
【実用新案登録請求の範囲】
【請求項１】
内部空間を有し、複数の上記内部空間を貫通する中空部があり、底部に、上記本体内部へ伸びる凹部が設けられ、上記凹部に、少なくとも一つの上記本体の内部空間に連通する中空部がある本体と、
分離可能に、上記本体の上部に設置され、上蓋と複数の連接部材からなり、上蓋上部に、扁平円形である握り部が設けられ、その高さが、上記上蓋の上部よりやや高く、上記複数の連接部材が、上記上蓋の底部から所定の長さを伸び、また、上記複数の連接部材の底部が、互いに連接され、上記連接部材に、少なくとも一つの上層弾性シートと少なくとも一つの下層弾性シートが設けられ、それらの弾性シートが、上記上蓋の外部へ向かう凸部を有し、上蓋周縁に、漏洩防止ガスケットが設けられる上蓋素子と、
分離可能に上記本体の底部に設置され、上記本体との間に、所定の空間があり、少なくとも一つの中空部がある底蓋とが含有されることを特徴とする水頭装置。
【請求項２】
上記上蓋素子の連接部材の底部において、互いに連接する箇所の外縁に、複数の突出が、設けられ、
上記本体の上縁において、上記突出に対応する位置に、係止槽が設けられ、上記係止槽が、鉛直槽と、上記鉛直槽に連通する水平槽とから構成され、上記鉛直槽の上端が、上記本体の上部に貫通し、前述突出が、対応する鉛直槽から入って、水平に、対応する水平槽に滑り込み、上記突出の上方に、リング状凸縁が設けられ、上蓋素子と本体が、互いに結合される時、上記凸縁の底部が、上記本体の上縁に抵当することを特徴とする請求項１に記載の水頭装置。
【請求項３】
上記本体の底部外縁に、複数の突出が設けられ、
上記底蓋の上縁において、上記突出に対応する位置に係止槽が設けられ、上記係止槽が、鉛直槽と、上記鉛直槽に連通する水平槽とから構成され、上記鉛直槽の上端が、上記底蓋の上部に貫通し、前述突出が、対応する鉛直槽から入って、水平に、対応する水平槽に滑り込むことを特徴とする請求項１に記載の水頭装置。
【考案の詳細な説明】
【技術分野】
【０００１】
本考案は、創作水頭装置に関し、特に、構造が一体化で、快速的に取り外して清潔でき、使用が便利で、排水やろ過及び衛生の効果が得られる水頭装置に関する。
【背景技術】
【０００２】
従来の、床や流し台或いは浴槽に実装される水頭は、排水作用を提供する他に、ろ過機能を有し、排水管が、髪の毛や屑などにより塞がられることを防止できる。従来の水頭構造は、排水穴上に、ネジで、穴（槽）を有する蓋体を螺着し、水分が、穴（槽）から排水管に排出されて、髪の毛や屑等が、蓋体により行き止れるが、清潔する時、蓋体を外さなければならなく、非常に不便である。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、排水とろ過及び衛生の効果が得られ、また、快速的に取り外して清潔でき、使用が便利である水頭装置を提供する。
【課題を解決するための手段】
【０００５】
請求項１の考案は、内部空間を有し、複数の上記内部空間を貫通する中空部があり、底部に、上記本体内部へ伸びる凹部が設けられ、上記凹部に、少なくとも一つの上記本体の内部空間に連通する中空部がある本体と、分離可能に、上記本体の上部に設置され、上蓋と複数の連接部材からなり、上蓋上部に、扁平円形である握り部が設けられ、その高さが、上記上蓋の上部よりやや高く、上記複数の連接部材が、上記上蓋の底部から所定の長さを伸び、また、上記複数の連接部材の底部が、互いに連接され、上記連接部材に、少なくとも一つの上層弾性シートと少なくとも一つの下層弾性シートが設けられ、それらの弾性シートが、上記上蓋の外部にある凸部へ向かい、上蓋周縁に、漏洩防止ガスケットが設けられる上蓋素子と、分離可能に上記本体の底部に設置され、上記本体との間に、所定の空間があり、少なくとも一つの中空部がある底蓋と、が含有される、ことを特徴とする水頭装置である。
【０００６】
請求項２の考案は、上記上蓋素子の連接部材の底部において、互いに連接する箇所の外縁に、複数の突出が、設けられ、上記本体の上縁において、上記突出に対応する位置に、係止槽が設けられ、上記係止槽が、鉛直槽と、上記鉛直槽に連通する水平槽とから構成され、上記鉛直槽の上端が、上記本体の上部に貫通し、前述突出が、対応する鉛直槽から入って、水平に、対応する水平槽に滑り込み、上記突出の上方に、リング状凸縁が設けられ、上蓋素子と本体が、互いに結合される時、上記凸縁の底部が、上記本体の上縁に抵当することを特徴とする請求項１に記載の水頭装置である。
【０００７】
請求項３の考案は、上記本体の底部外縁に、複数の突出が設けられ、上記底蓋の上縁において、上記突出に対応する位置に係止槽が設けられ、上記係止槽が、鉛直槽と、上記鉛直槽に連通する水平槽とから構成され、上記鉛直槽の上端が、上記底蓋の上部に貫通し、前述突出が、対応する鉛直槽から入って、水平に、対応する水平槽に滑り込むことを特徴とする請求項１に記載の水頭装置である。
【０００８】
以下、図面を参照しながら、本考案の特徴や技術内容について、詳しく説明するが、それらの図面等は、参考や説明のためであり、本考案は、それによって制限されることが無い。
【考案を実施するための最良の形態】
【０００９】
図１は、本考案に係る水頭装置であり、本体１０と上蓋素子２０及び底蓋３０が備えられる。
【００１０】
上記本体１０は、内部空間１１を有し、複数の上記内部空間１１を貫通する中空部１２が設けられ、上記本体１０の上縁に、係止槽１３が設けられ、上記係止槽１３は、鉛直槽１３１と、上記鉛直槽１３１に連通する水平槽１３２とから構成され、上記鉛直槽１３１の上端が、上記本体１０の上部に貫通し、図１と図２のように、上記本体１０の底部に、上記本体１０内部へ向かって伸びる凹部１４が設けられ、上記凹部１４は、少なくとも一つの上記本体１０の内部空間１１に連通する中空部１４１が備えられる。
【００１１】
図１のように、上記上蓋素子２０は、分離可能に上記本体１０上部に設置され、円盤状である上蓋２１と複数の連接部材２２を備え、上記上蓋２１の上部に、握り部２１１が設けられ、上記握り部２１１は、扁平円形で、その高さが、上記上蓋２１の上部よりやや高く、上記上蓋２１の周縁に、漏洩防止ガスケット２１２が設けられ、一般として、上記漏洩防止ガスケット２１２は、柔軟のゴム材からなり、上記複数の連接部材２２は、上記上蓋２１の軸心を中心として、等距離に囲むように、上記上蓋２１の底部に設置され、本実施例において、等距離に四つの連接部材２２が設けられ、上記複数の連接部材２２は、上記上蓋２１の底部から、所定の長さに伸び、また、上記複数の連接部材２２の底部が、互いに連接し、上記連接部材２２は、少なくとも一つの上層弾性シート２２１ａと少なくとも一つの下層弾性シート２２１ｂが設けられ、それらの弾性シート２２１ａ、２２１ｂは、上記上蓋２１の外部へ向かう凸部２２２ａ、２２２ｂが設けられ、上記連接部材２２の底部に、互いに連接された位置２２３の外縁に、複数の突出２３が設けられ、上記突出２３は、上記本体１０の上縁にある係止槽１３に対応して設置され、また、上記突出２３の上方に、リング状凸縁２４が設けられる。
【００１２】
図３と図４のように、上記上蓋素子２０の突出２３は、上記本体１０の対応する係止槽１３の鉛直槽１３１から入って、水平に、対応する水平槽１３２に滑り込み、これにより、上蓋素子２０と本体１０とが、互いに結合され、また、上記凸縁２４の底部が、上記本体１０の上縁（図５を参照しながら）に抵当し、また、逆方向に操作すると、上記上蓋素子２０と本体１０とが分離され、そのため、上記上蓋素子２０は、分離可能的に上記本体１０の上部に設置される。
【００１３】
図１と図２を参照しながら、上記本体１０の底部外縁に、複数の突出１５が設けられ、上記底蓋３０の上縁において、上記突出１５に対応する位置に、係止槽３１が設けられ、上記係止槽３１は、鉛直槽３１１と、上記鉛直槽３１１に連通する水平槽３１２とから構成され、上記鉛直槽３１１の上端が、上記底蓋３０に貫通し、前述本体１０底部の突出１５は、対応する鉛直槽３１１から入って、また、水平に、対応する水平槽３１２に滑り込み、これにより、底蓋３０と本体１０とが、互いに結合され、また、逆方向に操作されると、上記底蓋３０と本体１０とが分離され、そのため、上記底蓋３０が、分離可能に、上記本体１０の底部に設置される。
【００１４】
また、図１のように、上記底蓋３０に、少なくとも一つの中空部３２が設けられ、上記本体１０の底部に、凹部１４が設けられるため、上記底蓋３０と本体１０とが結合される時、上記底蓋３０と上記本体１０との間に、所定の空間（即ち、上記凹部１４）が形成され、上記凹部１４内に、脱臭剤４０を設置することが出来る。
【００１５】
上記上蓋素子２０と底蓋３０及び本体１０を、互いに結合した後、図５の形態が形成され、上記凸部２２２ａ、２２２ｂの外縁が、上記本体１０と上記底蓋３０の外側壁から突出し、その作用は、後述のようである。
【００１６】
図６を参照しながら、本考案を、水槽５０に適用する場合、上記水槽５０は、本考案を収納するための凹部５１が設けられ、本考案を、上記凹部５１にセットし、上記凸出部２２２ａ、２２２ｂが、凹部５１の内側壁により圧縮されて、上記凸出部２２２ａ、２２２ｂと弾性シート２２１ａ、２２１ｂとが、上記上蓋２１の内部に向かって内縮し、上記上蓋２１が、上記凹部５１の上縁にある段階部５１１に抵当し、また、上記漏洩防止ガスケット２１２が、上記段階部５１１の辺縁に、密着して、シールの機能を発揮し提、また、本体１０と底蓋３０を、上記凹部５１内に封じることにより、上記水槽５０内に貯水できる。
【００１７】
また、図７を参照しながら、ユーザーが、上記握り部２１１を握って、上記上蓋２１を、上記本体１０及び底蓋３０と一緒に上記凹部５１から引き上げることが出来、また、上記本体１０に、水平高さが異なる凸出部２２２ａ、２２２ｂがあるため、上記本体１０を所定の高さを引き上げる時、上方の上記凸部２２１ａが、外力が解消されるため、自動的に排出され、これにより、上記凸部２２１ａの外縁は、再び、上記本体１０と上記底蓋３０の外側縁から突出するが、下方に位置する凸出部２２２ｂにより、上記本体１０が、上記凹部５１との間の緊密度が維持され、図のように、水が、上記上蓋２１の底部にある上記連接部材２２の間から上記本体１０の内部空間１１へ流れ、一部の水が、本体１０の中空部１２から上記本体１０外へ流れ、また、一部の水が、上記本体１０底部にある凹部１４の中空部１４１へ流れ、また、脱臭剤４０を通してから、底蓋３０の中空部３２から上記底蓋３０の外へ流れ、これにより、すべての水が、上記凹部５１に連通される排水管５２により排出され、その時、水中の屑等が、上記本体１０内に残され、排水管５２に排出されない。再び、上記上蓋２１を本体１０と一緒に上記凹部５１に押し込まれると、図６の状態になり、即ち、再び、貯水できるようになる。
【００１８】
上記中空部１２、１４１、３２（図１と図７を参照しながら）は、水経路を構成するためのもので、その形状は、図示の円形や長尺型に制限されなく、任意の形状でもよい。
【００１９】
そのため、本考案は、より進歩的かつより実用的で、法に従って実用新案登録請求を出願する。
【００２０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２１】
【図１】本考案の分解構造斜視図
【図２】本考案の本体の底部構造斜視図
【図３】本考案の上蓋と本体とを結合する時の概念図
【図４】本考案の上蓋と本体とが結合された時の概念図
【図５】本考案の組立て構造斜視図
【図６】本考案を水槽貯水に適用する時の断面構造概念図
【図７】本考案を水槽排水に適用する時の断面構造概念図
【符号の説明】
【００２２】
１０    本体
１１    内部空間
１２    中空部
１３    係止槽
１３１  鉛直槽
１３２  水平槽
１４    凹部
１４１  中空部
１５    突出
２０    上蓋素子
２１    上蓋
２１１  握り部
２１２  漏洩防止ガスケット
２２    連接部材
２２１ａ、２２１ｂ  弾性シート
２２２ａ、２２２ｂ  凸部
２２３  連接部材底部相互連接處
２３    突出
２４    凸縁
３０    底蓋
３１    係止槽
３１１  鉛直槽
３１２  水平槽
３２    中空部
４０    脱臭剤
５０    水槽
５１    凹部
５１１  段階部
５２２  排水管
【図１】
0003144941.tif 000003
【図２】
0003144941.tif 000004
【図３】
0003144941.tif 000005
【図４】
0003144941.tif 000006
【図５】
0003144941.tif 000007
【図６】
0003144941.tif 000008
【図７】
0003144941.tif 000009